(57)【要約】【課題】マルチモード導波路においても分岐比の変動を抑制できる光導波路を提供する。【解決手段】光導波路１Ａは、コア５と、コア５を覆うクラッド４を有する導波路層２Ａを備える。コア５は、光が入射する入力部６と、入力部６よりコア幅が狭く構成され、光を分岐する分岐部７と、コア幅の異なる入力部６と分岐部７を結合する結合部８とを備える。分岐部７は、主コア７ａと、主コア７ａから分岐した分岐コア７ｂを備え、主コア７ａと分岐コア７ｂが分岐する部位の手前のコア幅が、入力部６のコア幅より狭く構成される。結合部８は、入力部６と結合される入力側結合部８ａと分岐部７と結合される出力側結合部８ｂとの間の幅が徐々に狭くなるように、テーパ状に構成される。【選択図】        図１
2007011067.tif 000002
【特許請求の範囲】
【請求項１】
コアとクラッドを有し、基本モードと少なくとも１つ以上の高次のモードが伝搬されるマルチモードの光導波路であって、
前記コアは、光が入射する入力部と、前記入力部よりコア幅が狭く構成され、少なくとも２本に分岐した分岐部と、コア幅を異ならせた前記入力部と前記分岐部をつなぐ結合部とを備え、
前記結合部は、前記入力部と前記分岐部の間で徐々にコア幅が狭くなるテーパ形状を備えた
ことを特徴とする光導波路。
【請求項２】
前記分岐部は、光の分岐比を非等分配とした
ことを特徴とする請求項１記載の光導波路。
【請求項３】
前記分岐部は、光の分岐比を等分配とした
ことを特徴とする請求項１記載の光導波路。
【請求項４】
前記コア及びクラッドは、高分子材料でフォトリソグラフィプロセスにより作製される
ことを特徴とする請求項１記載の光導波路。
【請求項５】
コアとクラッドを有し、基本モードと少なくとも１つ以上の高次のモードが伝搬されるマルチモードの光導波路と、
前記コアと光学的に結合される光素子と光伝送経路の何れか、または光素子と光伝送経路の双方とを備えた光モジュールであって、
前記コアは、光が入射する入力部と、前記入力部よりコア幅が狭く構成され、少なくとも２本に分岐した分岐部と、コア幅を異ならせた前記入力部と前記分岐部をつなぐ結合部とを備え、
前記結合部は、前記入力部と前記分岐部の間で徐々にコア幅が狭くなるテーパ形状を備えた
ことを特徴とする光モジュール。
【請求項６】
前記コアの前記入力部と発光素子を結合すると共に、前記分岐部で分岐されたコアのうちの１本に受光素子を結合し、前記受光素子で前記発光素子の出力をモニタする
ことを特徴とする請求項５記載の光モジュール。
【発明の詳細な説明】
【技術分野】
【０００１】
本発明は、コアとクラッドを有し、コアを複数本に分岐して光信号を分岐する光導波路及びこの光導波路を備えた光モジュールに関する。詳しくは、光信号を分岐する部位でのコア幅を狭くすることで、マルチモード光導波路であっても、分岐比の変動を抑制できるようにしたものである。
【背景技術】
【０００２】
従来より、音声信号や映像信号等を光信号として送受信する導波路型の光送受信モジュールが提案されている。このような光モジュールでは、音声信号や映像信号等を光信号で送受信する際に、規定の光パワーで信号が出ているか判断したり、常に一定のパワーにするために現在のパワーをモニタしたりするため、信号光の一部を分岐させる分岐回路が必要となることが多い。
【０００３】
このような分岐回路を備えた従来の光導波路としては、非対称なＹ分岐回路を作製し、一定のパワーをモニタ回路側に分岐させる構成が提案されている（例えば、特許文献１，２参照）。
【０００４】
コア内の光強度分布が、比較的対称なガウシアン分布に近いシングルモードの光導波路では、このような構造でも安定した分岐比を得ることが可能である。また、シングルモード導波路においては、光の干渉やモード変化を利用して、低損失かつ安定した分岐比を得る分岐構造が可能である。
【０００５】
【特許文献１】特開平０８−１２２５４７号公報
【特許文献２】特開平０９−３３７４０号公報
【発明の開示】
【発明が解決しようとする課題】
【０００６】
しかし、高次のモードまで励起されるマルチモード導波路では、入力導波路に入射するモードの形状により、コア内の光強度分布が大きく変化する。
【０００７】
図６は分岐回路を備えた従来の光導波路における光強度分布の変化を示す説明図である。図６（ａ）に示す分岐回路１００は、主コア１０１から分岐コア１０２が分岐した構成である。マルチモード導波路では、主コア１０１と分岐コア１０２の分岐位置Ｄ−Ｄ′における光強度分布が、図６（ｂ）に示す強度分布（５）や、図６（ｃ）に示す強度分布（６）等のように大きく変化する。
【０００８】
分岐コア１０２に分岐される光パワーをハッチングで示すが、光強度分布が大きく変化すると、図６（ｂ）に示す強度分布（５）の場合に、分岐位置Ｄ−Ｄ′において分岐コア１０２にかかる光の強度Ｉ5と、図６（ｃ）に示す強度分布（６）の場合に、分岐位置Ｄ−Ｄ′にかかる光の強度Ｉ6に大きな差がでてしまう。
【０００９】
このため、同じ分岐回路であっても分岐比が大きく変動してしまい、分岐回路から得られるパワーから光信号のパワーを類推することが困難になる。
【００１０】
本発明は、このような課題を解決するためになされたもので、マルチモード導波路においても分岐比の変動を抑制できる光導波路及び光モジュールを提供することを目的とする。
【課題を解決するための手段】
【００１１】
上述した課題を解決するため、本発明に係る光導波路は、コアとクラッドを有し、基本モードと少なくとも１つ以上の高次のモードが伝搬されるマルチモードの光導波路であって、コアは、光が入射する入力部と、入力部よりコア幅が狭く構成され、少なくとも２本に分岐した分岐部と、コア幅を異ならせた入力部と分岐部をつなぐ結合部とを備え、結合部は、入力部と分岐部の間で徐々にコア幅が狭くなるテーパ形状を備えたことを特徴とする。
【００１２】
本発明の光導波路では、コアを構成する入力部から光信号が入射する。入力部に入射した光信号は、入力部から結合部を通って分岐部へと伝搬される。分岐部では、コアが少なくとも２本に分岐しているので、分岐部へ伝搬された光信号は各コアに分配されて、各コアを伝搬される。
【００１３】
分岐部は、入力部よりコア幅を狭く構成したことで、コア幅が相対的に狭く構成されている。よって、コア内での光強度分布の変化が少なくなり、分岐比の変動が抑制される。
【００１４】
また、本発明に係る光モジュールは、コアとクラッドを有し、基本モードと少なくとも１つ以上の高次のモードが伝搬されるマルチモードの光導波路と、コアと光学的に結合される光素子と光伝送経路の何れか、または光素子と光伝送経路の双方とを備えた光モジュールであって、コアは、光が入射する入力部と、入力部よりコア幅が狭く構成され、少なくとも２本に分岐した分岐部と、コア幅を異ならせた入力部と分岐部をつなぐ結合部とを備え、結合部は、入力部と分岐部の間で徐々にコア幅が狭くなるテーパ形状を備えたことを特徴とする。
【００１５】
本発明の光モジュールでは、コアを構成する入力部に例えば発光素子が結合され、分岐部で分岐されたコアのうちの１本に受光素子が結合される。発光素子から出射された光信号は、入力部から光導波路に入射し、入力部に入射した光信号は、入力部から結合部を通って分岐部へと伝搬される。
【００１６】
分岐部では、コアが少なくとも２本に分岐しているので、分岐部へ伝搬された光信号は各コアに分配されて、各コアを伝搬される。分岐部で分岐されたコアのうちの１本には、受光素子が結合されることで、発光素子から出射された光信号は受光素子で受光される。
【００１７】
分岐部は、入力部よりコア幅を狭く構成したことで、コア幅が相対的に狭く構成されている。よって、コア内での光強度分布の変化が少なくなり、分岐比の変動が抑制される。
【発明の効果】
【００１８】
本発明の光導波路によれば、コアを少なくとも２本に分岐した分岐部のコア幅を、分岐部より手前の入力部のコア幅より狭く構成したので、分岐部では光強度分布の変化が少なくなり、分岐比の変動を抑制することができる。
【００１９】
また、コア幅の異なる入力部と分岐部を、テーパ状の結合部で結合したことで、コア幅が急激に変化しない構成となり、入力部と分岐部でコア幅を異ならせても、モード不整合損失を抑制することができる。
【００２０】
本発明の光モジュールによれば、上述した光導波路を備えることで、光信号を分岐する分岐部において分岐比の変動が抑制され、予め設定されている分岐比に応じて略一定のパワーで光信号を得ることができる。
【発明を実施するための最良の形態】
【００２１】
以下、図面を参照して本発明の光導波路及び光モジュールの実施の形態について説明する。
【００２２】
＜第１の実施の形態の光導波路の構成例＞
図１は第１の実施の形態の光導波路の一例を示す構成図で、図１（ａ）は平面図、図１（ｂ）は図１（ａ）のＡ−Ａ断面図である。
【００２３】
第１の実施の形態の光導波路１Ａは、コア・クラッド構造を有する導波路層２Ａと、導波路層２Ａを支持する実装基板３とを備える。
【００２４】
導波路層２Ａは、クラッド４を構成する下部クラッド４ａ上に、コア５が所定のパターンで形成され、下部クラッド４ａ上のコア５が、クラッド４を構成する上部クラッド４ｂで覆われた埋め込み型導波路で、例えばアクリル系有機溶剤等の高分子材料で作製される。実装基板３は、例えばシリコン（Ｓｉ）で作製され、表面に導波路層２Ａが実装される。
【００２５】
導波路層２Ａは、比屈折率差が約１．０％で、コア５の屈折率がクラッド４の屈折率より若干大きくなるように構成されて、コア５に結合された光が、コア５に閉じ込められて伝搬される。
【００２６】
コア５は、光が入射する入力部６と、入力部６よりコア幅が狭く構成され、光を分岐する分岐部７と、コア幅の異なる入力部６と分岐部７を結合する結合部８とを備え、基本モードと、少なくとも１つ以上の高次のモードが伝搬されるコア幅を有したマルチモード導波路である。
【００２７】
入力部６は、一定のコア幅Ｗ1で直線状に構成され、入力部６におけるコア径は、例えば、４０（高さ）×４０（幅）μｍに設定されて、入力部６の断面形状は正方形である。
【００２８】
分岐部７は、主コア７ａと、主コア７ａから分岐した少なくとも１本の分岐コア７ｂを備える。主コア７ａのコア幅Ｗ2と分岐コア７ｂのコア幅Ｗ3は略同等である。
【００２９】
また、主コア７ａのコア幅Ｗ2と分岐コア７ｂのコア幅Ｗ3は、入力部６のコア幅Ｗ1より狭く構成され、分岐部７におけるコア径は、主コア７ａと分岐コア７ｂ共に、４０（高さ）×３０（幅）μｍに設定される。
【００３０】
更に、主コア７ａから分岐コア７ｂを分岐させる構成とすることで、主コア７ａと分岐コア７ｂが分岐する部位の手前のコア幅を、主コア７ａのコア幅Ｗ2と同じとして、入力部６のコア幅Ｗ1より狭く構成してある。
【００３１】
なお、本例では、主コア７ａは直線導波路として構成され、分岐コア７ｂは、例えば曲率半径Ｒ＝１０ｍｍの曲線導波路として構成される。
【００３２】
結合部８は、一端側が入力部６と結合すると共に、他端側が分岐部７と結合し、入力部６と結合部８が結合する入力側結合部８ａは、入力部６と同じコア径で構成され、分岐部７と結合部８が結合する出力側結合部８ｂは、分岐部７と同じコア径で構成される。
【００３３】
すなわち、本例では、結合部８の入力側結合部８ａにおけるコア径は、例えば、４０（高さ）×４０（幅）μｍに設定され、結合部８の出力側結合部８ｂにおけるコア径は、例えば、４０（高さ）×３０（幅）μｍに設定されて、結合部８は、入力側結合部８ａのコア幅（＝Ｗ1）より出力側結合部８ｂのコア幅（＝Ｗ2）が狭く構成される。
【００３４】
そして、結合部８は、入力側結合部８ａと出力側結合部８ｂとの間の幅が徐々に狭くなるように、テーパ状に構成される。
【００３５】
図２は本発明の動作原理を示す説明図であり、次に、一例として図１に示す構成を有した本発明の光導波路の動作原理について説明する。
【００３６】
コア５は、上述したように、主コア７ａから分岐コア７ｂを分岐させた分岐部７と、分岐部７の手前の入力部６で幅を異ならせ、入力部６と分岐部７を結合部８で結合した構成であり、分岐部７のコア幅が相対的に狭くなるようにしている。
【００３７】
コア５において、分岐部７におけるコア幅を狭くすると、主コア７ａと分岐コア７ｂの分岐位置Ｂ−Ｂ′における強度分布は、図２（ｂ）に示す強度分布（１）や、図２（ｃ）に示す強度分布（２）のように、変化を少なくすることができる。
【００３８】
分岐コア７ｂに分岐される光パワーをハッチングで示すが、光強度分布の変化が少ないので、図２（ｂ）に示す強度分布（１）の場合に、分岐位置Ｂ−Ｂ′において分岐コア７ｂにかかる光の強度Ｉ1と、図２（ｃ）に示す強度分布（２）の場合に、分岐位置Ｂ−Ｂ′において分岐コア７ｂにかかる光の強度Ｉ2は略同等となる。よって、分岐比の変動が抑制されることになる。
【００３９】
次に、本実施の形態の光導波路１Ａの製造工程の概要について説明する。光導波路１Ａは、まず、図示しないウェハ基板上に高分子材料等を用いて下部クラッド４ａを作製する。下部クラッド４ａは、例えば、紫外線硬化型の高分子材料をウェハ基板上に塗布し、紫外線を照射して硬化することで形成される。
【００４０】
下部クラッド４ａを作製した後、下部クラッド４ａ上に所定のパターンでコア５を作製する。コア５は、例えば紫外線硬化型の高分子材料を下部クラッド４ａ上に塗布し、入力部６と結合部８と分岐部７のパターンを有するマスクを介して紫外線を照射してコア形成部位を硬化させ、他の部位を現像して除去することで、入力部６と結合部８と分岐部７を有したコア５を、下部クラッド４ａ上に形成する。
【００４１】
下部クラッド４ａ上にコア５を作製した後、コア５上に上部クラッド４ｂを作製する。上部クラッド４ｂは、例えば、紫外線硬化型の高分子材料をコア５が形成された下部クラッド４ａ上に塗布し、紫外線を照射して硬化することで形成される。以上の工程で、入力部６と結合部８と分岐部７を有したコア５を備えた導波路層２Ａが作成され、例えば、導波路層２Ａをウェハ基板から剥離し、実装基板３に実装することで、光導波路１Ａが作製される。
【００４２】
光導波路１Ａでは、上述したように、フォトリソグラフィプロセスを用いてコア５を作製することで、主コア７ａから分岐コア７ｂを分岐させた分岐部７や、テーパ状の結合部８を備えたコア５を、容易かつ高精度に作製可能である。
【００４３】
＜第１の実施の形態の光導波路の動作例＞
次に、図１及び図２を参照して第１の実施の形態の光導波路１Ａの動作について説明する。
【００４４】
光導波路１Ａは、コア５を構成する入力部６から光信号Ｓが入射する。入力部６に入射した光信号Ｓは、入力部６から結合部８を通って分岐部７へと伝搬される。
【００４５】
分岐部７では、直線状の主コア７ａに対して分岐コア７ｂが略Ｙ字状に分岐し、分岐コア７ｂが曲線導波路で構成されているので、分岐部７へ伝搬された光信号Ｓは主コア７ａと分岐コア７ｂに不等分配されて、主コア７ａと分岐コア７ｂのそれぞれを伝搬される。
【００４６】
光導波路１Ａは、上述したように、分岐部７の直前で、入力部６に比べてコア５の幅が狭くなる。分岐部７においては、コア５の幅を入力部６と同じとした場合に比較すると、コア５の幅が狭くなっている分、図２で説明したように、コア５内での光強度分布の変化が少なくなり、コア５の幅方向における光強度分布の偏りが抑制される。
【００４７】
そして、コア５を伝搬される光の強度分布の変化を少なくできるので、分岐コア７ｂへ安定して略一定の分岐率で光を供給できるようになる。
【００４８】
また、コア５の幅を異ならせた入力部６と分岐部７をつなぐ結合部８は、幅の広い入力部６と結合される入力側結合部８ａから、幅の狭い分岐部７と結合される出力側結合部８ｂにかけて、徐々に幅が狭くなるテーパ状とすることで、段差を設ける等により急激に幅を変える構造に比較して、少ない損失でコア５の幅を変化させることができる。
【００４９】
すなわち、コアの側面に段差を設ける等により急激に幅を変える構成とすると、幅が変化する部分でのモード不整合損失が大きくなる。これに対して、コア５の側面をテーパ状として、徐々に幅を狭めていく構成とすると、連続的に幅が変化することから、モード不整合損失が抑制される。これにより、分岐率を安定させ、かつ低損失な光導波路１Ａを実現できる。
【００５０】
＜第２の実施の形態の光導波路の構成例＞
図３は第２の実施の形態の光導波路の一例を示す平面図である。ここで、第２の実施の形態の光導波路１Ｂにおいて、図１で説明した第１の実施の形態の光導波路１Ａと同等の構成については同じ番号を付して説明する。
【００５１】
第２の実施の形態の光導波路１Ｂは、光の分岐比を非等分配とした非対称な分岐導波路で、コア・クラッド構造を有する導波路層２Ｂと、導波路層２Ｂを支持する図１に示す実装基板３とを備える。導波路層２Ｂは、図１で説明した導波路層２Ａと同等の構成を有し、コア５をクラッド４で覆った埋め込み型導波路である。
【００５２】
コア５は、光が入射する入力部６と、入力部６よりコア幅が狭く構成され、光を分岐する分岐部９と、コア幅の異なる入力部６と分岐部９を結合する結合部８とを備える。
【００５３】
入力部６は、一定のコア幅Ｗ1で直線状に構成される。分岐部９は、例えば直線導波路として構成される主コア９ａと、主コア９ａから分岐して、例えば曲線導波路として構成される少なくとも１本の分岐コア９ｂを備える。
【００５４】
主コア９ａと分岐コア９ｂは幅が異なり、光の分岐比が非等分配となるように構成される。本例では、主コア９ａのコア幅Ｗ4が分岐コア９ｂのコア幅Ｗ5より広く構成される。また、主コア９ａのコア幅Ｗ4と分岐コア９ｂのコア幅Ｗ5は、共に入力部６のコア幅Ｗ1より狭く構成される。
【００５５】
結合部８は、一端側が入力部６と結合すると共に、他端側が分岐部９と結合し、入力部６と結合する入力側結合部８ａは、入力部６と同じコア径で構成され、分岐部９と結合する出力側結合部８ｂは、分岐部９と同じコア径で構成される。
【００５６】
これにより、結合部８は、入力側結合部８ａのコア幅より出力側結合部８ｂのコア幅が狭く構成され、入力側結合部８ａと出力側結合部８ｂとの間で幅が徐々に狭くなるように、テーパ状に構成される。
【００５７】
＜第２の実施の形態の光導波路の動作例＞
次に、図３及び図２等を参照して第２の実施の形態の光導波路１Ｂの動作について説明する。
【００５８】
光導波路１Ｂは、コア５を構成する入力部６から光信号Ｓが入射する。入力部６に入射した光信号Ｓは、入力部６から結合部８を通って分岐部９へと伝搬される。
【００５９】
分岐部９では、直線状の主コア９ａに対して分岐コア９ｂが略Ｙ字状に分岐しているので、分岐部９へ伝搬された光信号Ｓは、主コア９ａと分岐コア９ｂに不等分配されて、主コア９ａと分岐コア９ｂのそれぞれを伝搬される。
【００６０】
図４は強度分布が左右対称な場合における分岐比の変動を示す説明図である。主コア１０１から分岐コア１０２が分岐したマルチモード導波路で、主コア１０１と分岐１０２の分岐位置Ｃ−Ｃ′における光強度分布が、図４（ｂ）に示す強度分布（３）や、図４（ｃ）に示す強度分布（４）等のように、略左右対称の分布をしていたり、略一様に分布している場合がある。
【００６１】
このように、主コア１０１と分岐コア１０２の分岐位置における光強度の分布が略左右対称な場合でも、主コア１０１と分岐コア１０２のコア幅を異ならせて分岐比を非等分配とした場合等は、従来のように光強度分布の変化が大きいと、図４（ｂ）に示す強度分布（３）で分岐位置Ｃ−Ｃ′において分岐コア１０２にかかる光の強度Ｉ3と、図４（ｃ）に示す強度分布（４）で分岐位置Ｃ−Ｃ′において分岐コア１０２にかかる光の強度Ｉ4は大きく異なってしまう。
【００６２】
このように、主コア１０１と分岐コア１０２で分岐比を等分配とせずに非対称とした場合は、光強度分布の変化による分岐比の変化が大きくなってしまう。
【００６３】
これに対して、光導波路１Ｂは、上述したように、分岐部９の直前で、入力部６に比べてコア５の幅を狭くしたことで、分岐部９においては、コア５の幅を入力部６と同じとした場合に比較すると、コア５の幅が狭くなっている分、図２で説明したように、コア５内での光強度分布の変化を少なくすることができる。
【００６４】
これにより、主コア９ａと分岐コア９ｂが非対象分岐であっても、分岐コア９ｂへ安定して略一定の分岐率で光を供給できるようになる。
【００６５】
＜第１の実施の形態の光モジュールの構成例＞
図５は第１の実施の形態の光モジュールの一例を示す平面図である。第１の実施の形態の光モジュール１１Ａは、例えば上述した第２の実施の形態の光導波路１Ｂと、発光素子１２と、受光素子１３と、光ファイバ１４を備える。
【００６６】
光導波路１Ｂは、上述したように、光が入射する入力部６と、入力部６よりコア幅が狭く構成され、主コア９ａ及び主コア９ａから分岐させた分岐コア９ｂによって光を分岐する分岐部９と、コア幅の異なる入力部６と分岐部９を結合する結合部８とを有したコア５を備える。
【００６７】
光導波路１Ｂは、導波路層２Ｂの一方の端面に露出する入力部６のコア端面により入射ポート１５が形成される。また、導波路層２Ｂの他方の端面に露出する分岐部９の主コア９ａのコア端面により第１の出射ポート１６が形成され、分岐コア９ｂのコア端面により第２の出射ポート１７が形成される。
【００６８】
発光素子１２は光素子の一例で、光導波路１Ｂの入射ポート１５に対向して実装基板３に実装される。受光素子１３は光素子の一例で、光導波路１Ｂの第２の出射ポート１７に対向して実装基板３に実装される。光ファイバ１４は光伝送経路の一例で、光導波路１Ｂの第１の出射ポート１６に対向してファイバブロック１８を介して実装基板３に実装される。
【００６９】
＜第１の実施の形態の光モジュールの動作例＞
次に、図５及び図２等を参照して第１の実施の形態の光モジュール１１Ａの動作について説明する。
【００７０】
光モジュール１１Ａは、発光素子１２により電気信号が光信号に変換されて、発光素子１２から出射される。発光素子１２から出射された光信号Ｓは、入射ポート１５からコア５に入射する。コア５に入射した光信号Ｓは、入力部６から結合部８を通って分岐部９へと伝搬される。
【００７１】
分岐部９では、主コア９ａに対して分岐コア９ｂが略Ｙ字状に分岐しているので、分岐部９へ伝搬された光信号Ｓは主コア９ａと分岐コア９ｂに分配されて、主コア９ａと分岐コア９ｂのそれぞれを伝搬される。
【００７２】
主コア９ａを伝搬される光信号Ｓは、第１の出射ポート１６から出射して光ファイバ１４に入射し、光ファイバ１４を伝搬される。また、分岐コア９ｂを伝搬される光信号Ｓは、第２の出射ポート１７から出射してモニタ光Ｍとして受光素子１３に入射する。受光素子１３に入射したモニタ光Ｍは、電気信号に変換されて、発光素子１２のパワー制御等に利用される。
【００７３】
光導波路１Ｂは、上述したように、分岐部９の直前で、入力部６に比べてコア５の幅を狭くしたことで、分岐部９においては、コア５の幅を入力部６と同じとした場合に比較すると、コア５の幅が狭くなっている分、図２で説明したように、コア５内での光強度分布の変化を少なくすることができる。
【００７４】
これにより、分岐コア９ｂへ安定して略一定の分岐率でモニタ光Ｍを供給でき、発光素子１２から出射される光信号のパワーを正確に類推して、フィードバック等を行うことができる。
【００７５】
また、光導波路１Ｂは、入力部６のコア幅が広くなっていることで、発光素子１２との結合が容易である。
【００７６】
なお、各実施の形態の光導波路は、光の分岐比が非等分配であるが、光の分岐比が等分配であっても良い。例えば、分岐したコアを左右対称形状とし、かつコア幅を同等とすれば、光の分岐比が等分配の光導波路とすることができる。このような光の分岐比が等分配の光導波路であっても、分岐部の直前でコア幅を狭くする構成を備えることで、コア内での光強度分布の変化が少なくなり、分岐したコア間で略一定の分岐率を得ることができる。
【産業上の利用可能性】
【００７７】
本発明は、音声信号や映像信号等を送受信する導波路型の光送受信モジュールに適用される。
【図面の簡単な説明】
【００７８】
【図１】第１の実施の形態の光導波路の一例を示す構成図である。
【図２】本発明の動作原理を示す説明図である。
【図３】第２の実施の形態の光導波路の一例を示す平面図である。
【図４】強度分布が左右対称な場合における分岐比の変動を示す説明図である。
【図５】第１の実施の形態の光モジュールの一例を示す平面図である。
【図６】従来の光導波路における光強度分布の変化を示す説明図である。
【符号の説明】
【００７９】
１Ａ，１Ｂ・・・光導波路、２Ａ，２Ｂ・・・導波路層、３・・・実装基板、４・・・クラッド、５・・・コア、６・・・入力部、７・・・分岐部、７ａ・・・主コア、７ｂ・・・分岐コア、８・・・結合部、８ａ・・・入力側結合部、８ｂ・・・出力側結合部、９・・・分岐部、９ａ・・・主コア、９ｂ・・・分岐コア、１１Ａ・・・光モジュール、１２・・・発光素子、１３・・・受光素子、１４・・・光ファイバ
【図１】
2007011067.tif 000003
【図２】
2007011067.tif 000004
【図３】
2007011067.tif 000005
【図４】
2007011067.tif 000006
【図５】
2007011067.tif 000007
【図６】
2007011067.tif 000008